(57)【要約】【課題】  歩行者用通路に錯視図形を描いた錯視シートを配置することによって歩行者に無意識的に進行方向を認知させることにより歩行者動線を整理する歩行者用通路の錯視シートの提供。【解決手段】  静止した図形を周辺視観察すると特定方向に視覚運動印象が誘発される錯覚現象を利用して、歩行者の双方向進行通路αにおいて床面２あるいは壁面３，４あるいは天井面に錯視図形ａ，ｂで構成された錯視シートｃ，ｄを適切に配置し、日常的照明条件下にこれを置くことによって、当該歩行帯α１，α２に定められた進行方向がいずれの方向なのかを歩行者に無意識的に認知させ、その結果、歩行者動線を整理して歩行者のスムーズな歩行を実現する特徴的構成手段の採用。【選択図】図１
2006002431.tif 000002
【特許請求の範囲】
【請求項１】
歩行帯に沿って錯視図形を配置して歩行者の進行方向を錯視表示する、
ことを特徴とする歩行者用通路の錯視シート。
【請求項２】
前記錯視図形は、
周辺視観察すると特定方向に視覚運動印象が誘発される静止図形である、
ことを特徴とする請求項１に記載の歩行者用通路の錯視シート。
【請求項３】
前記静止図形は、
進行方向に向かって、黒、濃灰、白、淡灰、に相当する４段階の異なる明度をもつか、黒、灰、白、に相当する３段階の異なる明度をもつか、又は、それらと位相等価とみなせる空間周波数成分を含む連続的もしくは不連続的な明度勾配をもつ、異明度色の定順図形を、それぞれの順で反復繰返す連続図形であって、順方向歩行帯上を歩行する歩行者の視覚認知において進行方向と同一方向の視覚運動印象を誘発するよう日常的照明条件下で歩行者が周辺視観察できる場所に連続帯状に配置する、
ことを特徴とする請求項２に記載の歩行者用通路の錯視シート。
【請求項４】
前記静止図形は、
逆方向の歩行帯に対して進行方向と反対方向の視覚運動印象を誘発するよう当該逆方向歩行帯に沿って日常的照明条件下で歩行者が周辺視観察できる場所に前記異明度色の定順図形とそれぞれ逆順となるよう前後逆転して連続帯状に配置する、
ことを特徴とする請求項２又は３に記載の歩行者用通路の錯視シート。
【請求項５】
前記錯視図形は、
路面あるいは壁面あるいは天井面などの全部又は一部の広さの面に配置したシート上に塗装あるいは印刷あるいは任意の描画方法によって静的に表示する、
ことを特徴とする請求項１又は２に記載の歩行者用通路の錯視シート。
【請求項６】
前記静止図形は、
一方通行の通路か、あるいは、順方向と逆方向の少なくともふたつの進行方向が前記歩行帯ごとに区切られて定められ、歩行者に当該歩行帯に定められた進行方向を遵守した歩行を促す必要を有する往復歩行帯を並行する通路に用いるものであって、
前記順方向歩行帯においては、前記異明度色の定順図形を、前記逆方向歩行帯においては、前記異明度色定順図形とは逆順図形を、それぞれ路面、壁面、天井面などの全部又は一部の広さの面に連続帯状に配置したシート上に、片方向のみに表示するか、又は、両方向に同時に表示することにより、各歩行帯に定められた進行方向を、それらと一貫した方向の視覚運動印象を歩行者に誘発することが期待される各対応連続帯状に錯視図形をそれぞれ表示する、
ことを特徴とする請求項３、４又は５に記載の歩行者用通路の錯視シート。
【請求項７】
前記錯視図形は、
中央から外方に向う多重同心円隣接相互間に前記一連の定順の各異明度色を反復彩色した静止図形であって、進行方向歩行帯が突き当る正面に配置して吸い寄せられる視覚運動印象を歩行者に誘発する、
ことを特徴とする請求項１又は２に記載の歩行者用通路の錯視シート。
【発明の詳細な説明】
【技術分野】
【０００１】
本発明は、歩行往来環境設計に関連して、静止した図形を周辺視観察すると特定方向に視覚運動印象が誘発される歩行者用通路の錯視シートに関する。
【背景技術】
【０００２】
遊歩道、駅構内通路、建物内順路など、歩行者用の双方向進行通路は都市部のいたるところにみられ、衝突や滞留を事前に回避して歩行者の動線を整然化するために、多くの通路では順方向と逆方向の少なくともふたつの方向の歩行帯に通路を区切り、歩行者に進行方向の遵守を促している。しかし、進行方向を歩行者に表示するための従来の手段や器具は必ずしも直観的なものであるとはいえない（鹿島出版会編、２００２）。
【０００３】
例えば、駅構内階投において「上り」「下り」という言語表示がしばしば使用されているが、「上り方面」「下り方面」と意味論的混同を起こすため好ましくない場合がある。また例えば、矢印記号などのアイコン表現を呈示したり言語表示と併記したりすることによって進行方向を表示する従来方法では、混雑時などでアイコン表現の存在自体が検出しにくい場合には、容易に用途をなしえない。
【０００４】
かといって、矢印記号などのアイコン表現を検出しやすくするために路面あるいは壁面の全部に表示するのは費用対効果の面で望ましくなく、利用者に圧迫感を与えるなどの問題が生じる可能性もある。進行方向をアニメーションで表現する方法も考えられるが、それを表示し続けるためのコストから最善の方法とはいえない。
【０００５】
通路の行き先を言語やアイコン表現やアニメーションを用いずに指示する技術としては、各通路を行き先のシンボル色で表示しわけたり、進むべき進路に明るい照明、進むべきでない進路に暗い照明をつけて進路を指示したりする方法が実用化されている。しかし、シンボル色の解釈には歩行者の予備知識を要するため直観性に欠け、また双方向進行通路においては異なる照明を異なる歩行帯に適用することは−般に困難である。
【０００６】
【非特許文献１】鹿島出版会編，「駅再生  スペースデザインの可能性」，鹿島出版会，２００２年１１月
【非特許文献２】Kitaoka, A. and Ashida, H., “Phenomenal characteristics of the peripheraldrift illusion.” VISION, (2003) 15, pp.261-262.
【非特許文献３】Howard, IP and Howard, A., “Vection: thecontributions of absolute and relative visual motion.” Perception, (1994)vol.23, pp.745-751.
【発明の開示】
【発明が解決しようとする課題】
【０００７】
以上に鑑み、本発明が解決しようとする重要な目的は次の通りである。即ち、本発明の第１の目的は、歩行者にその存在を必要以上に意識させることなく、直観的かつ明確に、むしろ、無意識的に進行方向を促す表示機能を備えた通路を、低コストで実現することが可能な歩行者用通路錯視シートを提供せんとするものである。
【０００８】
本発明の第２の目的は、利用客が激しく往来するターミナルステーション構内や飛行場ターミナルビル内やターミナルストア内や巨大ビル内の盛り場や劇場、博物館、絵画館、各種展示館や遊園地等の道路や順路に最適な歩行者用通路錯視シートを提供せんとするものである。
【０００９】
本発明の第３の目的は、屋内歩行者群の交通整理機能を有する歩行者用通路錯視シートを提供せんとするものである。
【００１０】
本発明の他の目的は、明細書、図面、特に特許請求の範囲の各請求項の記載から自ずと明らかになろう。
【課題を解決するための手段】
【００１１】
本発明は、前記課題の解決に当り、静止した図形を周辺視観察すると特定方向に視覚運動印象が誘発される錯覚現象（Kitaoka&Ashida,2003）を利用し、当該錯視観察を応用して歩行者の進行方向を錯示図形で呈示する錯示シートの特徴的構成手段を講じる。
【００１２】
さらに、具体的詳細に述べると、当該課題の解決には、本発明が次に列挙する、それぞれの新規な特徴的構成手段を採用することにより、上記目的を達成するようになされる。
【００１３】
即ち、本発明の第１の特徴は、歩行帯に沿って錯視図形を配置して歩行者の進行方向を錯視表示してなる、構成手段の採用にある。
【００１４】
本発明の第２の特徴は、前記本発明の第１の特徴における前記錯視図形が、周辺視観察すると特定方向に視覚運動印象が誘発される静止図形としてなる、構成手段の採用にある。
【００１５】
本発明の第３の特徴は、前記本発明の第２の特徴における前記静止図形が、進行方向に向かって、黒、濃灰、白、淡灰、に相当する４段階の異なる明度をもつか、黒、灰、白、に相当する３段階の異なる明度をもつか、又は、それらと位相等価とみなせる空間周波数成分を含む連続的もしくは不連続的な明度勾配をもつ、異明度色の定順図形を、それぞれの順で反復繰返す連続図形であって、順方向歩行帯上を歩行する歩行者の視覚認知において進行方向と同一方向の視覚運動印象を誘発するよう日常的照明条件下で歩行者が周辺視観察できる場所に連続帯状に配置してなる、構成手段の採用にある。
【００１６】
本発明の第４の特徴は、前記本発明の第２又は第３の特徴における前記静止図形が、逆方向の歩行帯に対して進行方向と反対方向の視覚運動印象を誘発するよう当該逆方向歩行帯に沿って日常的照明条件下で歩行者が周辺視観察できる場所に前記異明度色の定順図形とそれぞれ逆順となるよう前後逆転して連続帯状に配置してなる、構成手段の採用にある。
【００１７】
本発明の第５の特徴は、前記本発明の第１又は第２の特徴における前記錯視図形が、路面あるいは壁面あるいは天井面などの全部又は一部の広さの面に配置したシート上に塗装あるいは印刷あるいは任意の描画方法によって静的に表示するものである、構成手段の採用にある。
【００１８】
本発明の第６の特徴は、前記本発明の第３、第４又は第５の特徴における前記静止図形が、一方通行の通路か、あるいは、順方向と逆方向の少なくともふたつの進行方向が前記歩行帯ごとに区切られて定められ、歩行者に当該歩行帯に定められた進行方向を遵守した歩行を促す必要を有する往復歩行帯を並行する通路に用いるものであって、前記順方向歩行帯においては、前記異明度色の定順図形を、前記逆方向歩行帯においては、前記異明度色定順図形とは逆順図形を、それぞれ路面、壁面、天井面などの全部又は一部の広さの面に連続帯状に配置したシート上に、片方向のみに表示するか、又は、両方向に同時に表示することにより、各歩行帯に定められた進行方向を、それらと一貫した方向の視覚運動印象を歩行者に誘発することが期待される各対応連続帯状に錯視図形をそれぞれ表示するものである、構成手段の採用にある。
【００１９】
本発明の第７の特徴は、前記第１又は第２の特徴における前記錯視図形が、中央から外方に向う多重同心円隣接相互間に前記一連の定順の各異明度色を反復彩色した静止図形であって、進行方向歩行帯が突き当る正面に配置して吸い寄せられる視覚運動印象を歩行者に誘発してなる、構成手段の採用にある。
【発明の効果】
【００２０】
本発明によれば、この錯視図形で構成された錯視シートを通路の要所に適切に配置することにより、定められた進行方向と一致した視覚運動印象を歩行者に誘発することが期待できる。視覚運動印象は、平面上に呈示された錯視図形の領域内部に低速度の動きがあるように見えるのみで、その図形近傍の空間が動いているようには感じられず、特殊な配置（図３参照）にしないかぎり観察者自身が動いているようにも感じられない。しかも、視野中心で図形を観察する場合にはこの錯視現象は生じない。
【００２１】
このことから、その錯視の存在に注意を向け続ける必要はなく、行動を妨害されたりすることもなく、ただ視野の周辺に見える動きの方向に歩行を進めればそれが正しい進行方向であるように歩行者に促す働きをもつ図形パターンとして、本錯視図形を呈示することができる。
【００２２】
錯視図形は、複数の異なる明度で塗られた面を反復するという単純なパターンでよく、実際の運動や明度の時間変化などを−切伴わず、単なる静止図形であるため、矢印記号や文字などを多数描画することやアニメーションなどに比べて低コストで実現できる。
しかも、本発明にかかわる通路の錯視シートにより、歩行者用の双方向進行通路の進行方向を表示できる結果、衝突や滞留を事前に回避して歩行者の動線を整然化するための、進行方向を表示する直観的かつ低コストの技術が実現した。
【００２３】
本発明にかかわる通路の錯視シートは、明度を初めとする種々の刺激パラメータ一によってその錯視量を操作可能であり、知覚される速度を適切に操作することにより、単にふたつの相反する進行方向の歩行帯で仕切られた双方向進行通路のみでなく、走行車線と追越車線を備えた片側二車線道路に相当するようなふたつの帯すなわち低速度歩行帯と高速度歩行帯とを備えた双方向進行通路にも適用可能である。
【発明を実施するための最良の形態】
【００２４】
以下図面に基づいて本発明の実施の形態例を説明する。
（実施形態例１）
図１は本実施形態例１を示す錯視図形の典型的な刺激布置で双方向通路の両方に錯視シートを配置した平面図である。
例えば、黒、濃灰、白、淡灰、に分けて表記した明度は、典型的例においてＣＭＹＫ値がそれぞれ（０，０，０，１００）、（９０，４５，０，０）、（０，０，０，０）、（２０，１０，９５，０）であり、対応する色名がそれぞれ黒Ｄ、青Ｃ、白Ａ、黄Ｂ、であるような４色を定順で用いることで静止図形としての錯視図形を表示することができる。
【００２５】
また、本実施形態例１の色は典型例にすぎず、使用する色は任意でかまわないのであって、明度の関係が不等式Ａ＞Ｂ＞Ｃ＞Ｄを満たす任意の色の組み合わせをＤＣＡＢの順番に並べて配置することにより、その並び順の方向に動きの印象を感じさせることができる。この順番は、視覚系の情報処理の自然法則を利用して錯視を生じさせるのに必要な条件である。
【００２６】
ここで、錯視図形ａに使用する色の明度について説明すると、Ｃ−Ｍ−Ｙ−Ｋ値では明るさの量がわからない為、それぞれの色をＨ−Ｓ−Ｂ（色相、飽和度、明度）表現しなおすと次のようになる。
黒＝ＣＭＹＫ（０，０，０，１００）＝ＨＳＢ（３４６，１１，１４）：Ｄ
青＝ＣＭＹＫ（９０，４５，０，０）＝ＨＳＢ（２０２，１００，７６）：Ｃ
白＝ＣＭＹＫ（０，０，０，０）＝ＨＳＢ（０，０，１００）：Ａ
黄＝ＣＭＹＫ（２０，１０，９５，０）＝ＨＳＢ（５７，７６，８３）：Ｂ
【００２７】
それぞれの色の最も右側の値、すなわち、１４，７６，１００，８３が、色の明るさの目安になる。これらの値を比較すると、白＞黄＞青＞黒という不等式が満たされており、それらを黒青白黄の順に並べているということは、Ａ＞Ｂ＞Ｃ＞Ｄが満たされている４色をＤＣＡＢの順に並べるひとつの典型例となる。青Ｃと黄Ｂの間での値が７６と８３と言うように非常に近くなっているが、あくまでも印刷段階での見た目として、二つの色の明るさは充分違って見えるし、錯視も強く生じるから、典型的実施形態例としては充分である。
【００２８】
ところで、上方向錯視図形ａと下方向錯視図形ｂを周辺視観察したとき、左半分は上方向に、右半分は下方向に、低速度で並進運動している視覚印象が誘発される。上方向各色Ｄ，Ｃ，Ａ，Ｂ、下方向各色Ｂ，Ａ，Ｃ，Ｄの縦幅を３．５ｃｍ、横の広がりを４０ｃｍ以上とし、錯視図形ａ，ｂを前記並び順でそれぞれ配置した錯視シートｃ，ｄを双方向進行通路αにおいて歩行中の観察者の前方２ｍの路面に貼付し、その際、左半分が歩行者の属する歩行帯α１に、右半分が隣の歩行帯α２に、それぞれ配置されるようにする。
【００２９】
歩行者が本錯視図形ａ，ｂを周辺視観察することにより、左半分は歩行者の進行方向と同方向、右半分は逆方向に、同時に動いて知覚されるか、または、一方は上記方向に動いて知覚されて他方は静止して知覚される。
いずれの場合も、歩行者が異なるふたつの歩行帯の定められた進行方向を知るために必要十分な情報をもたらすことができる。すなわち、本実施形態例では、左側通行が定められていることを歩行者は知ることができる。
【００３０】
（実施形態例２）
前記の典型実施形態例１においては双方向歩行帯α１，α２の両方に互いに反対方向の運動印象を誘発させることを目的として錯視シートｃ，ｄを配置していたが、本実施形態例２が示す錯視図形ａの錯視シートｃ’は一方通行の例えば順路歩行帯βにのみ配置してもよい。
本実施形態例２を図２で錯視シートｃ’の配置平面図を示す。
現実の通路において静止した構造物がランダムに配置されていることを模倣するために周囲ランダムな位置に矩形状の図形１を描き、中央に本実施形態例２に基づく錯視図形ａのシートｃ’を配置する。
【００３１】
歩行者が錯視図形ａを周辺視観察することにより、歩行帯βが歩行者の進行方向と同方向に動いて知覚される。周囲に描いた矩形図形１群は本実施形態例２の必要条件ではなく、これらを除いても有効な錯視が得られるものの、周囲に静止参照枠が存在している場合に中央の運動印象がより明確に得られることと、現実の通路においては周囲に静止構造物が存在することがふつうであることから、本実施形態例２においては周囲に静止視覚刺激を置いている。
【００３２】
本実施形態例２においては、各色の縦幅を３．５ｃｍ、横の広がりを４０ｃｍとした場合について説明してきたが、これらの値を変更しても同等な効果が得られる。周辺視観察では解像度視力は中心視のそれより劣るため、通路の錯視シートｃ’に用いることのできる縦幅の実行最小値は２ｃｍ程度であり、これ以下の幅の錯視図形ａを床面に置くと有効な運動印象を得ることが困難である。
【００３３】
一方、縦幅を大きくするにつれて、運動印象が得られる最適な位置が歩行者近傍から次第に遠方へとずれて行く。これは、網膜に結像した時点の空間周波数が錯視にとって最適の帯域であるためには、刺激サイズと観察距離とが反比例の関係となるためである。進行方向を表示する目的には、歩行者近傍において錯視が最大となることが望ましいことから、縦幅の実行最大値は１０ｃｍ程度と見積もれる。
【００３４】
横の広がりに関しては、１０〜１００ｃｍにわたる範囲で有効の錯視が得られる。それ以上のサイズでも錯視が得られないことはないが、横の広がりを仮に最大限として、周囲の静止参照枠が全く与えられないとすると、視覚系の特性から相対運動検出感度に比べて絶対運動検出感度が劣るので錯視量は弱まってしまうため、実行最大値は１００ｃｍ程度と考えられる。
【００３５】
（実施形態例３）
前記実施形態例１，２の目的は錯視図形ａのシートｃ，ｃ’，ｄを主に床面に配置することにより進行方向を表示することであるが、この技術を応用して静止観察者にあたかも自分が前方に進んでいくような錯覚を起こさせることにより、劇場や遊園地などでの臨場感向上をもたらすことができる。一般に、自分をとりまく視覚対象の運動に誘発されて自己運動感覚が逆方向に生じることは知られているが、この錯覚の誘発刺激として従来は物理的運動刺激を用いていた（Ｈｏｗａｒｄ＆Ｈｏｗａｒｄ，１９９４参照）。提案する本実施形態例３においては、物理的運動ではなく、前記実施形態例１，２で利用している錯覚的運動印象を用いることで、同様の自己運動感覚を誘発することができる。
【００３６】
本実施形態例３を図３で床面以外に錯視シートを立体的に配置した展開平面図を示す。
観察者１名が床面２に静止していられるようなサイズを確保して、床面２、左右壁面３，４、正面５を立体的に室内に配置する。床面２には本実施形態例３の錯視図形ａの錯視シートｃ”を配置し、床面２に進行方向の運動印象を誘発させる。左右の壁面３，４には錯視図形ｂの錯視シートｅ，ｆを床面２とは逆に配置し、壁の風景が自分の後方に動いていくような運動印象を誘発させる。正面５には同心円状に錯視図形ｇを錯視シートｈ上に描き、図３に示すように同心円錯視図形ｇが中心から周辺へ向かって錯視図形ａ同様、黒Ｄ，青Ｃ，白Ａ，黄Ｂの順で彩色し拡大するような運動印象を誘発させる。
【００３７】
このような運動印象の組み合わせがもたらされたとき、床面２に静止している観察者は自己運動しているかのような錯覚を生じる。すなわち、床面２はいわゆる動く歩道のように自分を乗せた床全体が前方へ滑っていくように感じられ、左右壁面３，４の並進運動および正面５の拡大運動は自分自身が前方へ進んでいくことに伴って生じる光流動であるかのように解釈される。
【００３８】
その結果、観察者自身は物理的には静止しているにもかかわらず、あたかも前方に進んでいくような錯覚が生じる。付け加えるに、図３で示すよう重描した正面５の放射状矢印ｉの運動印象を生じさせるための錯視図形ｇの形状から容易に拡大基調を想像されると同様に、平面状に描いた図形形状を適切に変更すれば図１のような並進運動の印象のみならず拡大や縮小のような２次元的な運動印象を自由自在に与えることができる。
【００３９】
例えば、錯視図形ａ，ｂを任意の曲線に沿って曲げて描くことにより、その曲線形状に沿った運動方向の動きが知覚されるし、円周上に沿って描くことにより、回転が知覚されるし、螺旋関数にしたがって描くことにより、渦巻状の回転および拡大の印象が得られる。さらにこれらを平面でなく局面あるいは部屋の周囲の壁面のような立体面の上に描くことによって、３次元的な運動印象が生まれることは、図３の本実施形態例３により明らかである。これらのことから、遊園地などの商業施設で動画像や照明操作などを用いて作り出される視覚効果と定性的に同等な臨場感を、低コストで実現することができる。
【図面の簡単な説明】
【００４０】
【図１】本発明の実施形態例１における図形の錯視シートで、双方向通路の両方に錯視シートを配置した平面図である。
【図２】本発明の実施形態例２における図形の錯視シートで、一方通行路にのみ錯視シートを配置した平面図である。
【図３】本発明の実施形態例３における図形の錯視シートで、床面以外に錯視シートを主体的に配置して臨場感を高めた展開平面図である。
【符号の説明】
【００４１】
ａ，ｂ，ｇ…錯視図形
ｃ，ｃ’，ｃ”，ｄ，ｅ，ｆ，ｈ…錯視シート
ｉ…放射状矢印
Ａ…白
Ｂ…黄
Ｃ…青
Ｄ…黒
α…双方向進行通路
α１，α２，β…歩行帯
１…矩形図形
２…床面
３，４…左右壁面
５…正面
【図１】
2006002431.tif 000003
【図２】
2006002431.tif 000004
【図３】
2006002431.tif 000005